(57)【要約】【課題】鑑賞植物を支える支持部材の上下移動・水平回動を抑止して、鑑賞植物の見栄えを損ねたり型崩れしたりすることを防止できる保形フレームを提供する。【解決手段】保形フレーム１は、鑑賞植物を支えるために鉢５内に立てられる側面視天地逆略レの字状の支柱部材７の３本を保持して当該３本の支柱部材７，７，７の形態を一定に保つフレームであって、鉢５内に立てられる各支柱部材７の竪柱部７Ａを保持する竪柱保持杆部２Ａと、各支柱部材７の竪柱部７Ａの上部から前下がりに延在する斜め柱部７Ｂを保持する斜め柱保持杆部２Ｂとを備える保持部材２を３本有していて、各保持部材２の竪柱保持杆部２Ａの下部からそれぞれ略水平方向に延在する水平杆部２Ｃが、連結されて成るものである。【選択図】図２
2020074727.tif 000002
【特許請求の範囲】
【請求項１】
鑑賞植物を支えるために鉢内に立てられる側面視天地逆略レの字状の支柱部材の複数を保持して当該複数の支柱部材の形態を一定に保つ保形フレームであって、
前記鉢内に立てられる各支柱部材の竪柱部を保持する竪柱保持杆部と、前記各支柱部材の竪柱部の上部から前下がりに延在する斜め柱部を保持する斜め柱保持杆部とを備える保持部材を複数有していて、前記各保持部材の竪柱保持杆部の下部からそれぞれ略水平方向に延在する水平杆部が、連結されて成ることを特徴とする保形フレーム。
【請求項２】
前記各保持部材の水平杆部が連結具を介して着脱可能に連結されていることを特徴とする請求項１に記載の保形フレーム。
【請求項３】
前記連結具が、各保持部材の水平杆部を略水平方向移動自在に固定して保持部材間の間隔を可変にする間隔可変手段を備えていることを特徴とする請求項２に記載の保形フレーム。
【請求項４】
前記連結具が、各保持部材の水平杆部を略水平方向移動自在に軸支する軸支部を備えていて、前記間隔可変手段が各軸支部にそれぞれ配備されていることを特徴とする請求項３に記載の保形フレーム。
【発明の詳細な説明】
【技術分野】
【０００１】
本発明は、鉢植された鑑賞植物を見栄えの良い形にそのまま保持する保形フレームに関するものである。
【背景技術】
【０００２】
一般に、胡蝶蘭に代表される洋ラン（鑑賞植物の例）は、中央の花房を高くし左右両側の花房を低く配置するとともに、左右の花房をいくぶん外方へ広げることにより全体の見栄えが良くなるとされ、そのように形決めされる。そこで、このような鑑賞植物を支えるために、下記の特許文献１に開示されているように、鉢内に差し込まれて立てられる竪柱部と、当該竪柱部の上端から延在する前下がりの斜め柱部とから成る支柱部材が複数用いられて、前記した鑑賞植物の形決めが行なわれる。このような鑑賞植物は、商品搬送の際に個々の花房にビニル袋が被せられ、その上から紐がかけられることにより、左右の花房が中央の花房に寄せ集められており、配送先で紐が解かれて花房が広がられるようになっている。
【先行技術文献】
【特許文献】
【０００３】
【特許文献１】登録実用新案第３２０３５６５号公報（明細書の段落［００１６］〜［００２０］など、図２参照）
【発明の概要】
【発明が解決しようとする課題】
【０００４】
ところで、特許文献１に記載されている汎用の支柱部材は、鉢内の含水支持層に単に差し込まれているだけなので、比較的軽い力で水平向きに回ってしまう。そのために、鑑賞植物の複数の花房がせっかく見栄え良く形決めされていたとしても、栽培中の照光の向きにより花房が左右に向いて生長したり、展示中に観覧者に触られた場合は各花房が簡単に回動したりして、型崩れするという不具合があった。
【０００５】
本発明は、上記した従来の問題点に鑑みてなされたものであって、鑑賞植物を支える支持部材の上下移動・水平回動を抑止して、鑑賞植物の見栄えを損ねたり型崩れしたりすることを防止できる保形フレームの提供を目的とする。
【課題を解決するための手段】
【０００６】
上記目的を達成するために、本発明に係る保形フレームは、鑑賞植物を支えるために鉢内に立てられる側面視天地逆略レの字状の支柱部材の複数を保持して当該複数の支柱部材の形態を一定に保つものであって、鉢内に立てられる各支柱部材の竪柱部を保持する竪柱保持杆部と、各支柱部材の竪柱部の上部から前下がりに延在する斜め柱部を保持する斜め柱保持杆部とを備える保持部材を複数有していて、各保持部材の竪柱保持杆部の下部からそれぞれ略水平方向に延在する水平杆部が、連結されて成ることを特徴とするものである。
【０００７】
また、前記構成において、各保持部材の水平杆部が連結具を介して着脱可能に連結されていることを特徴とする
ものである。
【０００８】
そして、前記構成において、連結具が、各保持部材の水平杆部を略水平方向移動自在に固定して保持部材間の間隔を可変にする間隔可変手段を備えていることを特徴とするものである。
【０００９】
更に、前記構成において、連結具が各保持部材の水平杆部を略水平方向移動自在に軸支する軸支部を備えていて、間隔可変手段が各軸支部にそれぞれ配備されていることを特徴とするものである。
【発明の効果】
【００１０】
本発明に係る保形フレームによれば、竪柱保持杆部と斜め柱保持杆部とを備える保持部材を支柱部材の使用数ほど有していて、各保持部材の竪柱保持杆部下部にある水平杆部が互いに連結されているから、各保持部材の竪柱保持杆部の水平回動や上下動を回避できる。それに伴って、各保持部材の斜め柱保持杆部の先端も左右に振れにくくなる。これらにより、鑑賞植物を見栄えの良い形のままに保形することができ、鑑賞植物の型崩れや傷みを無くすことができる。
【００１１】
また、各保持部材の水平杆部が連結具を介して着脱可能に連結されているものでは、使用する保持部材の数を鑑賞植物の花房の数に応じて加減することができる。例えば、使用する保持部材の数を２つ、３つ、４つ、５つ、６つ、７つ、８つといったように変えることが可能になる。
【００１２】
そして、連結具が間隔可変手段を備えているものでは、間隔可変手段により保持部材間の水平方向の間隔を可変にすることができる。従って、鑑賞植物の栽培時や展示時は保持部材間の間隔を広げることにより、鑑賞植物を見栄えの良い形にすることができたり、商品搬送時は保持部材間を狭めることにより、鑑賞植物の先端が振れにくくなり、配送用箱内にも隙間を持って収めることができて鑑賞植物の傷みを無くしたりといったことが可能になる。
【００１３】
更に、連結具が各保持部材の水平杆部を略水平方向移動自在に軸支する軸支部を備えていて、間隔可変手段が各軸支部にそれぞれ配備されているものでは、各保持部材間の間隔をよりいっそう自由に変え得るから、鑑賞植物の形決めをより多彩に変えることができる。
【図面の簡単な説明】
【００１４】
【図１】本発明の一実施形態に係る保形フレームを用いた胡蝶蘭の鉢物を正面から眺めた外観図である。
【図２】前記保形フレームで３本の支柱部材を保持した状態を示す背面図である。
【図３】図２における一部断面を含むＡ−Ａ線矢視図である。
【図４】前記保形フレームの連結用ブロックを示す図であって、（ａ）は平面図、（ｂ）は背面図、（ｃ）は左側面図、（ｄ）は右側面図、（ｅ）は軸支部に挿通された保持部材の水平杆部を固定した態様を示す部分拡大断面図、（ｆ）は（ｅ）におけるＢ−Ｂ線矢視断面図である。
【図５】前記保形フレームを用いた鉢物を示す図であって、（ａ）は前記鉢物を配送用箱に収容した状態を示す平面構成図，（ｂ）は（ａ）の鉢物を配送用箱から取り出して花房を左右に広げた状態を示す平面構成図である。
【図６】本発明の異なる実施形態の保形フレームを示す図であって、（ａ）は他の実施形態に係る保形フレームの斜視図、（ｂ）は別の実施形態に係る保形フレームの斜視図である。
【図７】本発明を適用される支柱部材の別例を示す図であって、（ａ）は当該支柱部材の竪柱部を鉢内に立てた状態を示す側面図、（ｂ）は（ａ）の状態から竪柱部の上端に曲柱部をつないだ状態を示す側面図、（ｃ）は（ｂ）の状態から曲柱部の先端に斜め柱部をつないだ状態を示す側面図である。
【発明を実施するための形態】
【００１５】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係る保形フレームを用いた胡蝶蘭の鉢物を正面から眺めた外観図、図２は前記保形フレームで３本の支柱部材を保持した状態を示す背面図、図３は図２における一部断面を含むＡ−Ａ線矢視図である。
各図において、この実施形態に係る鉢物Ｊは、鉢５内に敷き詰められたミズゴケや栽培土などの含水支持層６に鉢植された洋ランの一種である胡蝶蘭（鑑賞植物の例）と、胡蝶蘭の花茎１１，１１，１１および花房Ｋ，Ｋ，Ｋを支えるために含水支持層６に差し込まれて立てられた側面視天地逆略レの字状の３本の支柱部材７，７，７と、支柱部材７，７，７の上部を保持してこれらの形態を一定に保つ保形フレーム１と、を備えて構成されている。胡蝶蘭はバルブ１０（図２参照）を有していて、バルブ１０は鉢５内に収められている。
【００１６】
各支柱部材７は、竪棒状の竪柱部７Ａと、竪柱部７Ａの上端で屈曲して前下がりに延在する斜め柱部７Ｂとから構成されている。竪柱部７Ａは、その下端が鉢５内の含水支持層６に差し込まれて立てられ、その途中部分が胡蝶蘭の花茎１１の直立部分を支えるために固定具９で花茎１１を固定している。斜め柱部７Ｂは、胡蝶蘭の花茎１１の前下がり部分を支えるために胡蝶蘭の該当部分を固定具９で固定している。そして、各支柱部材７は、それぞれの数カ所が結束バンドや紐などの固定具８により保形フレーム１の各保持部材２に固定・保持される。これらの支柱部材７は、耐久性、見栄え、入手容易性などの観点から例えばビニル樹脂被覆鋼線が用いられている。胡蝶蘭の各花茎１１および各花房Ｋは、それぞれの数カ所が紐などの固定具９（図２中の１点鎖線で示す符号９を参照）で各支柱部材７に固定・保持される。
【００１７】
前記の保形フレーム１は、中央の保持部材２と、この中央の保持部材２から左右に離間配置された保持部材２，２と、これらの保持部材２，２，２を連結する連結具３である連結用ブロック４と、各保持部材２を各支柱部材７に固定・保持する適宜数の固定具８，８，８，・・・、とから構成されている。この場合、保持部材２は支柱部材７の使用数と同数が用いられる。そして、各保持部材２は、縦向きに配置される直線状の竪柱保持杆部２Ａと、竪柱保持杆部２Ａの上端で曲折して前下がりに延在する斜め柱保持杆部２Ｂと、竪柱保持杆部２Ａの下端で曲折して水平方向に延在する水平杆部２Ｃと、から構成されている。また、中央の保持部材２は、左右の保持部材２，２よりも竪柱保持杆部２Ａの上端高さを高くされている。前記の竪柱保持杆部２Ａは各支柱部材７の竪柱部７Ａを固定具８により固定して保持する。前記の斜め柱保持杆部２Ｂは各支柱部材７の斜め柱部７Ｂを固定具８により固定して保持する。これらの保持部材２は例えば支柱部材７と同じ素材で構成されている。但し、保持部材２や支柱部材７の素材としては、既述したビニル樹脂被覆鋼線に限らず、例えば合成樹脂線材やステンレス鋼線、あるいは竹線材などを用いることも可能である。
【００１８】
前記した連結用ブロック４は、複数の保持部材２，２，２の水平杆部２Ｃ，２Ｃ，２Ｃを着脱可能に連結する連結具３の一例である。この連結用ブロック４は、図４に示すように、それぞれ貫通孔である軸支部１７および軸支部１８が横並びに平行して形成された平面視矩形盤状の基台部１３と、軸支部１７の上方位置の基台部１３に上積みに形成されていて軸支部１７と平行な軸支部１６を有する上段部１４と、上段部１４に上積みに形成されていて名札（図示省略）の軸部が立てられる名札立て穴１９を有する起立部１５と、から構成されている。前記の軸支部１６、軸支部１７および軸支部１８はいずれも、保持部材２の水平杆部２Ｃと、円筒半割れ片状の固定部材２０，２０とを同時に挿入可能な内径に設定されている。固定部材２０，２０は、その外周面が軸心方向に拡径するテーパ状に形成されており、保持部材２の水平杆部２Ｃとともに軸支部１６，１７または１８内に挿入され、その挿入量が大きくなるほど水平杆部２Ｃに対する締め付け固定力が強くなるようにされている。すなわち、３つの各保持部材２，２，２は備えている別個独立に構成されているが、連結用ブロック４を介して着脱可能に連結されている。そして、固定部材２０，２０と軸支部１６、固定部材２０，２０と軸支部１７、固定部材２０，２０と軸支部１８、から成る構成が、それぞれ各保持部材２の水平杆部２Ｃを水平方向移動自在に固定して保持部材２，２間の間隔を可変にする間隔可変手段２５である。
【００１９】
上記のように構成された保形フレーム１の作用を次に説明する。
鉢５内で栽培された鉢物Ｊの花房Ｋ，Ｋ，Ｋを支持している保持部材２，２，２は、それぞれの水平杆部２Ｃ，２Ｃ，２Ｃが連結用ブロック４の軸支部１６，１７，１８に挿通され、適宜の挿通位置でそれぞれ固定部材２０，２０により挟持・固定されている。栽培時や展示時に、保持部材２，２間の間隔は鉢物Ｊの見栄えを良くするような所定間隔に設定されている。
【００２０】
ところで、宅配便で配送可能な配送用箱２３は、決まったサイズが規定されている。すなわち、配送用箱２３のサイズ規格は、奥行Ｄ＋横幅Ｗ＋高さＨの合計が１６０ｃｍ以下と規定されている。例えば、鉢物Ｊを支障なく収容可能な配送用箱２３の高さＨを８５ｃｍとし奥行Ｄを３５ｃｍにすると、横幅Ｗは４０ｃｍ未満となる。
【００２１】
前記の配送用箱２３内に鉢物Ｊを収容しようとすると、鉢物Ｊの両側の花房Ｋ，Ｋの左右外端間を３０ｃｍ程度と、かなり狭めなければならない。そこで、連結用ブロック４の軸支部１７，１８から固定部材２０が少し引き出されて緩められ、左右の保持部材２，２間の間隔が狭められ、花房Ｋ，Ｋの左右外端間が３０ｃｍ未満にされる（図５（ａ）参照）。そうして、固定部材２０が再び挿し入れられて各保持部材２が固定される。この状態の鉢物Ｊが配送用箱２３内に収容されて梱包され、宅配便などで客先に配送される。配送用箱２３内の鉢物Ｊは、保持部材２，２，２が保形フレーム１によりしっかり固定・保持されているので、各花房Ｋを係止している支柱部材７がその軸心回りに回ることがなく、中央の花房Ｋの高さもそのままに保持される。更には、支柱部材７の斜め柱部７Ｂに係止されている部分の花房Ｋが上下左右に振れることもないし、左右の花房Ｋ，Ｋが配送用箱２３の左右の内壁に接して傷むといったこともない。
【００２２】
このようにして客先に搬送された鉢物Ｊは配送用箱２３から取り出され、連結用ブロック４の軸支部１７，１８から固定部材２０が弛められ、左右の保持部材２，２の水平杆部２Ｃ，２Ｃが外向き（矢印Ｆ，ＦＡ方向）に適当量引き出されたのち、再び固定部材２０の挿し入れにより固定される（図５（ａ）参照）。このときの水平杆部２Ｃ，２Ｃの引き出し量は鉢物Ｊが最も見栄え良くなる形となる量である。そうして、保持部材２，２がいったん固定部材２０により固定されたのちは、花房Ｋ，Ｋ，Ｋは水平回りに回ったり上下左右に揺れたりすることがなく、見栄えの良い姿勢のまま安定している。尚、その姿勢から左右の支柱部材７，７の斜め柱部７Ｂ，７Ｂを左右外向き（矢印Ｇ，ＧＡ方向（図５（ｂ）））に少し曲げてやると、よりいっそう大振りで豪華な鉢物Ｊが得られる。
【００２３】
上記したように、この実施形態の保形フレーム１によれば、支柱部材７の使用数だけ保持部材２を有していて、各保持部材２の水平杆部２Ｃが互いに連結されているから、各保持部材２の竪柱保持杆部２Ａは回動すること無く固定されている。それに伴って、各保持部材２の斜め柱保持杆部２Ｂも左右に振れない。これらにより、鉢物Ｊを見栄えの良い形のままに保形することができ、鉢物Ｊの型崩れや傷みを無くすことができる。
【００２４】
また、各保持部材２の水平杆部２Ｃが連結具３を介して着脱可能に連結されているので、使用する保持部材２の数を鉢物Ｊの花房Ｋの数に応じて加減することができる。例えば、使用する保持部材の数を変えることが可能になり、鉢物Ｊの様々な美観を得ることができる。
【００２５】
そして、連結具３が間隔可変手段２５を備えているので、間隔可変手段２５により保持部材２，２間の水平方向の間隔を可変にすることができる。従って、鉢物Ｊの栽培時や展示時には保持部材２，２間の間隔を広げることにより、鉢物Ｊを見栄えの良い形にすることができる。また、商品搬送時には保持部材２，２間を狭めることにより、鉢物Ｊの先端が振れにくくなり、配送用箱内２３内にも隙間を持って収めることができて鉢物Ｊの傷みを無くすことができる。
【００２６】
更に、連結具３が各保持部材２の水平杆部２Ｃを略水平方向移動自在に軸支する軸支部１６，１７，１８を備えた連結用ブロック４であり、間隔可変手段２５が各軸支部１６，１７，１８にそれぞれ配備されているので、各保持部材２，２間の間隔をよりいっそう自由に変えることができる。従って、鉢物Ｊの形決めをより多彩に変えることができる。
【００２７】
尚、前記の実施形態では、間隔可変手段２５として、連結用ブロック４の軸支部１６，１７，１８と、固定部材２０との組合せ構成を例示したが、本発明はそれに限らない。例えば、図４内に２点鎖線でしますように、軸支部１６，１７，１８を臨む位置の連結用ブロック４にそれぞれ内外貫通して形成された雌ネジ孔２１，２１，２１と、これらの雌ネジ孔２１，２１，２１に螺合して軸支部１６，１７，１８内の水平杆部２Ｃ，２Ｃ，２Ｃを固定する係止ボルト２２と、の組合せ構成を間隔可変手段２５として用いることも可能である。
【００２８】
また、上記では、３本の保持部材２，２，２を別個独立構成とし、それらの水平杆部２Ｃ，２Ｃ，２Ｃを連結具３としての連結用ブロック４および固定部材２０で固定・連結するようにしたが、本発明はそれに限定されるものでない。例えば、図６（ａ）に示すような保形フレーム１ａも本発明に含まれる。この保形フレーム１ａでは、３本の保持部材２，２，２の水平杆部２Ｃ，２Ｃ，２Ｃが束ねられて結束バンドなどの固定部材２４で固定・連結されている。固定部材２４は締付け・弛緩自在に連結する連結具３の役目をするものであり、緩めることにより保持部材２，２間の間隔を可変にする間隔可変手段２５の役目も果たしている。このように簡素な構成の保形フレーム１ａであっても鉢物Ｊの形を一定に保持できることは無論のこと、左右の花房Ｋ，Ｋを外向きに広げたり内向きに狭めたりすることが可能である。
【００２９】
一方で、図６（ｂ）に示すような保形フレーム１ｂも、本発明に含まれる。この保形フレーム１ｂは最も簡素な構成であり、３つの保持部材２ａ，２ａ，２ａの水平杆部２Ｃａ、２Ｃａ，２Ｃａが溶接などで一体に連結されている。このような保形フレーム１ｂは竪柱保持杆部２Ａ，２Ａ間の水平間隔を可変にはできないが、この保形フレーム１ｂを用いた鉢物Ｊであっても、良好な見栄えが得られるとともに型崩れが無く、花房Ｋの先端も上下左右に大きく揺れたりしない。また、中央の竪柱保持杆部２Ａは最も高く配置されている。
【００３０】
また、上記では、鑑賞植物として洋ランの一種である胡蝶蘭を例示したが、胡蝶蘭以外に、シンビジウム、テンドロビウム、デンファレなどを本発明の鑑賞植物に適用しても構わない。
【００３１】
尚、上記では、１本もののビニル樹脂被覆鋼線をレの字状に折り曲げた支柱部材７に、本発明を適用した例を示したが、例えば図７（ｃ）に示されるような支柱部材７ａに本発明を適用しても構わない。この支柱部材７ａは、それぞれ分離独立である、竪柱部７Ａａ、曲柱部７Ｃ、斜め柱部７Ｂａ、およびこれらをつなぐ粘着テープなどの固定具２６から構成されている。竪柱部７Ａａはその末端が鉢５内の含水支持層６に差し込まれて起立する。固定具２６としては、粘着テープ以外に、紐、結束コード、針金などを用いてよい。
胡蝶蘭の栽培において、０〜２か月期は支柱部材７ａを用いずに栽培される。そして、２〜３か月期になって胡蝶蘭Ｍ１の花茎が３０ｃｍ位に伸びてくると、図７（ａ）に示すように、支柱部材７ａの竪柱部７Ａａが鉢５内の含水支持層６に差し込まれて立てられ花茎を支持する。引き続き、３〜４か月期になって蕾が２つ位出てくると、図７（ｂ）に示すように、竪柱部７Ａａの上端に曲柱部７Ｃがつながれて固定具２６で固定される。これらの曲柱部７Ｃおよび竪柱部７Ａａにより、胡蝶蘭Ｍ２の蕾付きの花茎が支持される。この時期の胡蝶蘭Ｍ２は花茎が柔らかいので、花茎の形を自由に変えることができる。この時期以降になると、花茎が硬くなって思うように変えさせることができなくなる。そうして、４か月以降になり蕾が２〜５つ位に増えるかまたは蕾が開花したときに、図７（ｃ）に示すように、曲柱部７Ｃの先端に斜め柱部７Ｂａがつながれて固定具２６で固定される。これらの斜め柱部７Ｂａおよび曲柱部７Ｃにより、胡蝶蘭Ｍ３の花茎および花房が支持される。このようにして、花房の形を思い通りの形に添わせることができる。
【００３２】
そうして、鑑賞期間が終了して鉢物を片づける際に、支柱部材は鉢５から引き抜かれて処分されるが、既述した１本ものの支柱部材７において切断機を帯同している場合は複数本に短く切断されて処分されていた。しかしながら、通常は切断機を持ち合わせていないことが多いので、支柱部材７を折り返して丸くし処分していたのであるが、嵩張る産業廃棄物とならざるを得なかった。それに対し、この支柱部材７ａは、それぞれ分離独立の、竪柱部７Ａａ、曲柱部７Ｃおよび斜め柱部７Ｂａで構成されているので、鉢物の片づけの際には、切断機を帯同していなくても、これらを手でバラバラに分解することができ、コンパクトに片づけることができる。従って、廃棄処分が楽になるという利点がある。
【００３３】
そして、本発明は、上記した実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００３４】
１，１ａ，１ｂ  保形フレーム
２，２ａ  保持部材
２Ａ  竪柱保持杆部
２Ｂ  斜め柱保持杆部
２Ｃ，２Ｃａ  水平杆部
３    連結具
４    連結用ブロック
５    鉢
６    含水支持層
７    支柱部材
８    固定具
１１  花茎
１６，１７，１８  軸支部
１７  軸支部
１８  軸支部
２０  固定部材
２１  雌ネジ孔
２２  係止ボルト
２４  固定部材
Ｆ    矢印
ＦＡ  矢印
Ｊ    鉢物
Ｋ    花房
【図１】
2020074727.tif 000003
【図２】
2020074727.tif 000004
【図３】
2020074727.tif 000005
【図４】
2020074727.tif 000006
【図５】
2020074727.tif 000007
【図６】
2020074727.tif 000008
【図７】
2020074727.tif 000009